(57)【要約】      （修正有）【課題】市販の練り歯磨き剤の使用を可能とし、また歯磨き剤の収容量を増しても形状をコンパクトにできる歯磨き剤入り歯ブラシを提供すること。【解決手段】収容室８内の歯磨き剤をピストン３８で押出し歯ブラシ部１４に供給できる歯磨き剤入り歯ブラシにおいて、ピストン３８のピストンロッド相当部分を異径の円筒状部材３０，３２、３４、 終端部材３６を伸縮可能に嵌合させた多重構造とし、その一端部に円環状の外向きの突部５４、６２、７０を、他端部には内向きの突部５０、５６、６４を設けて嵌合外れを防止し、かつ内向き突部の内側には雌ネジ部を、円筒状部材の外側には雄ねじ部を設けてそれぞれ螺合できるようにし、終端部材３６の先端部にピストン３８を取付け、つまみ４６を廻すと前記雄ねじ部と雌ねじ部がそれぞれ螺合しつつ前進して先端のピストンを押出して歯磨き剤を供給し、逆廻しでピストンが後退可能に構成した。【選択図】図１
0003121384.tif 000002
【実用新案登録請求の範囲】
【請求項１】
柄部を有する歯ブラシ部が握り部の一端に着脱可能に連結され、かつ握り部内に形成された歯磨き剤の収容室は、歯ブラシ部の柄部内を通って歯ブラシ部に開口する供給路に連通され、かつ握り部の他端側に配置された操作部を回動させることにより所定量の歯磨き剤を歯ブラシ部に供給可能とした送出機構を握り部内に備えた歯磨き剤入り歯ブラシにおいて、
前記送出機構は径の異なる複数の円筒状部材が伸縮可能に重なり合う状態に配置され、かつ円筒状部材には前記操作部寄りの端部に外向きの円環状の突部が、
操作部反対寄りの端部に内向きの円環状の突部がそれぞれ形成されると共に該円筒状部材の外側に雄ねじ部が形成され、かつ内向きの円環状の突部の内径側には
雌ねじ部が形成されて、自身内側に位置する円筒状部材の前記雄ねじ部に螺合するようにされ、外向きの円環状の突部と内向きの円環状の突部とが当接することにより各円筒状部材の伸長が制限されるようにし、しかも径が最も小さい円筒状部材には少なくとも外向きの円環状の突部と外側の雄ねじ部を、径が最も大きい円筒状部材には少なくとも内向きの円環状の突部と突部内径側にめねじ部を設け、さらに径の最も小さい円筒状部材の先端部には収容室に摺動可能に嵌合して歯磨き剤を押し出すためのピストンが取り付けられると共に径の最も大きい円筒状部材はその軸線方向には移動不能で回動可能な状態に前記操作部が固定され、操作部を回動させることにより円筒状部材を順次移動しピストンを前進させて歯磨き剤を歯ブラシ部に送給可能とし、逆方向に回動させてピストンを後退するようにした歯磨き剤入り歯ブラシ。
【請求項２】
請求項１記載の歯ブラシにおいて、径の最も小さい円筒状部材に代えて外形輪郭が同じ中実部材を使用するようにした歯磨き剤入り歯ブラシ。
【請求項３】
請求項１もしくは２記載の歯ブラシにおいて、歯ブラシ部を密封状態に覆い得る有底円筒状のキャップを握り部に着脱可能に取り付け得るようにした歯磨き剤入り歯ブラシ。
【考案の詳細な説明】
【技術分野】
【０００１】
本考案は、歯磨き剤入り歯ブラシに関するものであり、特に市販の練り歯磨きを使用することができ、かつ歯磨き剤の収容量の増大を、収容部の存在する握り部の大きさをあまり変えないで行い得るようにした、コンパクトな歯磨き剤入り歯ブラシに関するものである。
【背景技術】
【０００２】
従来より歯磨き剤入り歯ブラシとしては、歯磨き剤はカートリッジ式のものが使用され、またカートリッジを使用せずピストンで押し出す式のものが使用されている。
例えば、特開２００１−５７９０８号公報等に記載の歯ブラシがこれである。
【０００３】
しかし、カートリッジ式のものはその歯ブラシ専用のカートリッジを使用しなければならないので中身の歯磨きがなくなったときの補充が容易でなく汎用性に欠け、また価格も高くなるという問題点があり、ピストン式のものでは歯磨き剤の収容部の径を変えないでその収容量を多くしようとすると収容部が伸長し、ストロークが大きくなりピストンのを押し出すためのロッドが後方に長く突出するので嵩張りコンパクトでなく、またデザイン上も好ましくないという問題点がある。
【０００４】
特開２００３−３０４９３３号公報記載の歯ブラシは後方に突出したロッドを覆うカバーを握り部に出入り可能に被せて取り付けて上記問題点を解決しようとしているが、カバー自体が長く突出するので歯ブラシがコンパクトでなくなるという問題点がある。 
【０００５】
【特許文献１】特開平１０−１１３２３０号公報
【特許文献２】特開２００１−５７９０８号公報
【特許文献３】特開２００３−３０４９３３号公報
【考案の開示】
【考案が解決しようとする課題】
【０００６】
解決しようとする問題点は、中身の歯磨きがなくなったときの補充が容易でなく汎用性に欠け、また価格も高くなるという点であるから市販の歯磨きを使用できるようにすることである。また、ピストン式では解決しようとする問題点は嵩張り、コンパクトでない点であるから、形をコンパクトにし、また歯磨きの収容量を多くしてもコンパクトな形状を保持できるようにすることである。
【０００７】
ところで、本願発明者は上記問題点を解決するため種々研究を続けているうちに、ピストンを前進、後退させるロッドに相当する部分を伸縮可能な円筒状部材の多重構造とすることを想到し、本願考案を完成したものである。
【０００８】
本考案はこのような事情を背景としてなされたものであり、本考案の目的は、第１に 市販の歯磨きを使用できるようにして歯磨き補給の汎用性を高め、同時に歯磨き補給時のコストを軽減し得る歯磨き剤入り歯ブラシを提供すること、第２に形を嵩張らないようにコンパクトにして取り扱い易くし、また歯磨きの収容量を多くしてもコンパクトな形状を保持できる歯磨き剤入り歯ブラシを提供することである。
【課題を解決するための手段】
【０００９】
上記目的を達成するためになされた本考案は、次のように構成される。
Ａ  柄部を有する歯ブラシ部が握り部の一端に着脱可能に連結され、かつ握り部内に形成された歯磨き剤の収容室は、歯ブラシ部の柄部内を通って歯ブラシ部に開口する供給路に連通され、かつ握り部の他端側に配置された操作部を回動させることにより所定量の歯磨き剤を歯ブラシ部に供給可能とした送出機構を握り部内に備えた歯磨き剤入り歯ブラシにおいて、
前記送出機構は径の異なる複数の円筒状部材が伸縮可能に重なり合う状態に配置され、かつ円筒状部材には前記操作部寄りの端部に外向きの円環状の突部が、操作部反対寄りの端部に内向きの円環状の突部がそれぞれ形成されると共に該円筒状部材の外側に雄ねじ部が形成され、かつ内向きの円環状の突部の内径側には雌ねじ部が形成されて、自身内側に位置する円筒状部材の前記雄ねじ部に螺合するようにされ、外向きの円環状の突部と内向きの円環状の突部とが当接することにより各円筒状部材の伸長が制限されるようにし、しかも径が最も小さい円筒状部材には少なくとも外向きの円環状の突部と外側の雄ねじ部を、径が最も大きい円筒状部材には少なくとも内向きの円環状の突部と突部内径側にめねじ部を設け、さらに径の最も小さい円筒状部材の先端部には収容室に摺動可能に嵌合して歯磨き剤を押し出すためのピストンが取り付けられると共に径の最も大きい円筒状部材はその軸線方向には移動不能で回動可能な状態に前記操作部が固定され、操作部を回動させることにより円筒状部材を順次移動しピストンを前進させて歯磨き剤を歯ブラシ部に送給可能とし、逆方向に回動させてピストンを後退するようにした歯磨き剤入り歯ブラシ。
Ｂ  Ａ項記載の歯ブラシにおいて、径の最も小さい円筒状部材に代えて外形輪郭が同じ中実部材を使用するようにした歯磨き剤入り歯ブラシ。
Ｃ  Ａ項もしくはＢ項記載の歯ブラシにおいて、歯ブラシ部を密封状態に覆い得る有底円筒状のキャップを握り部に着脱可能に取り付け得るようにした歯磨き剤入り歯ブラシ。
【考案の効果】
【００１０】
本考案の歯磨き剤入り歯ブラシは、柄部を有する歯ブラシ部が握り部に着脱可能とされているので、これを外せば握り部内の歯磨き剤の収容室が大きく開口でき、市販の歯磨きの補充が容易となり、汎用性が高まると共に、維持コストを軽減できるという利点がある。また、ピストンを移動させるピストンロッドに相当する部分が伸縮可能な多重構造となっているので、歯磨き剤の収容量を増やし、ストロークを大きくしてもロッドが握り部外に突出することがなくコンパクトな形状を保持できるという利点がある。
【考案を実施するための最良の形態】
【００１１】
（１） 市販の歯磨きを使用できるようにして歯磨き補給の汎用性を高め、同時に歯磨き補給時のコストを軽減し得る歯磨き剤入り歯ブラシを提供すること。（２）歯磨き剤の収容量を増やしても形を嵩張らないようにコンパクトにして取り扱い易くなし得る歯磨き剤入り歯ブラシを提供するという本考案の目的を、柄部を有する歯ブラシ部が握り部に着脱可能とすること、および歯磨き剤を送り出すピストンのロッドに相当する部分を伸縮可能な円筒状部材の多重構造とするという構成により達成した。
【実施例１】
【００１２】
図１において、１０は握り部であり、柄部１２を有する歯ブラシ部１４はねじ部により着脱可能に取り付けられている。柄部１２の一端には図２に示すように雌ねじ部１３が形成されると共にその内部には柄部１２内を通り歯ブラシ部１４に開口する歯磨き剤の供給路１５が連通されている。８は歯磨き剤（練り歯磨き）の収容室である。
（図１（ロ）は、歯磨き剤を送給するピストン３８が、最も突出した状態を示し、収容室８は最も狭くなっている。）
【００１３】
握り部１０は図３に示すように円筒状部材で構成され、その一端部には雄ねじ部１６が形成され、前記柄部１２の雌ねじ部１３に螺着し得るようにされている。また、握り部１０の他端部には円孔１８を有するエンドキャップ２０が取り付けられるが、その取り付けは、エンドキャップ２０の一端に形成された段付き状部が嵌め込まれ、接着剤で固定して行われる。２４はＯリング溝である。
【００１４】
握り部１０には、図４に示す有底円筒状のキャップ２６が着脱可能かつ摺動可能に嵌合され、歯ブラシ部１４を覆うようにされているが、図１に示すように握り部１０のＯリング溝２４にはキャップ２６の端部が当接してそれ以上入らなくするためのキャップ停止用Ｏリング２２が取り付けられている。キャップ２６は歯ブラシ部１４を密封状態に保持するもので、歯磨き剤が送給路やその開口部で固結することを防止するため必要である。
【００１５】
握り部１０内には図１に示すように、歯磨き剤を送出するための送出機構２８が設けられている。送出機構２８は図５（イ）に示すように、径の最も大きい円筒状部材３０内に円筒状部材３２が組み込まれ、円筒状部材３２内には円筒状部材３４が、円筒状部材３４内には終端部材３６が、順次大きさの順に組み込まれる。これらが組み込まれた後、円筒状部材３０の開口端は、エンドキャップ４２の段付き部が嵌め込まれ、接着剤で固定される。そして、円筒状部材３０は握り部１０内に回動可能に嵌合され、かつエンドキャップ４２の軸状突部４４は握り部１０の一端に取り付けられたエンドキッャップ２０の円孔１８に回動可能に嵌合され、かつ軸状突部４４には操作部としてのつまみ４６がエンドキャップ２０との間に隙間が生じない状態に嵌め込まれ、ピン４８により固定される。従って、円筒状部材３０はつまみ４６を回すことにより握り部１０内で回動するが、その軸線方向には移動しない。
【００１６】
円筒状部材３０は図５（ロ）に示すように、その左端側に内向きの円環状の突部５０が形成され、その内径側に雌ねじ部５２が設けられている。円筒状部材３２は図５（ハ）に示すように、右端側に外向きの円環状の突部５４が形成されると共に左端側には内向きの円環状の突部５６が形成され、その内径側に雌ねじ部５８が設けられ設けられ、円筒状部材３２の外側には前記雌ねじ部５２に螺合し得る雄ねじ部６０が設けられている。
同様に、円筒状部材３４は図５（ニ）に示すように、右端側に外向きの円環状の突部６２が形成されると共に左端側には内向きの円環状の突部６４が形成され、その内径側に雌ねじ部６６が設けられ、さらに円筒状部材３４の外側には前記雌ねじ部５８に螺合し得る雄ねじ部６８が設けられる。
【００１７】
終端部材３６は図５（ホ）に示すように、円筒状部材でなく中実材、いわゆるむく材からなり、その右端側に外向きの円環状の突部７０が形成され、終端部材３６の外側には前記雌ねじ部６６に螺合し得る雄ねじ部７２が設けられ、先端側は径が細くされて段付き状をなし、先端部に雄ねじ部７４が設けられている。その端部にピストン３８が取り付けられ、ナットで締め付けられる。４０はＯリングである。なお、終端部材３６は円筒状材を使用することも可能であるが、内部に嵌合するのがないので中実材（むく材）としたものである。
【００１８】
つまみ４６を回動させると、図１、図５から判るように、円筒状部材３０は軸線方向には移動しないので、その内向きの円環状の突部５０の雌ねじ部５２に、円筒状部材３２の雄ねじ部６０が螺合しているので、つまみ４６の回転方向に応じて円筒状部材３２は前進あるいは後退する。その際円筒状部材３２の移動の妨げとならないように外向きの円環状の突部５４は、円筒状部材３０の内壁に干渉しないよう寸法が決定されている。
同様に、円筒状部材３２を回動させるとその回転方向に応じて、これと螺合する円筒状部材３４は前進あるいは後退するが、円筒状部材３４の外向きの円環状の突部６２は円筒状部材３２の内壁に干渉しないよう寸法が決定される。円筒状部材３４の内壁と、終端部材３６の外向きの円環状の突部７０との関係もこれと同様である。
【００１９】
収容室８内の歯磨き剤が歯ブラシ部１４に送られる作用を示すと次の通りである。図１（イ）は、握り部１０内でピストン３８が最も前進した位置、すなわち収容室８内の歯磨き剤が送出された最終位置を示しているので、先ずピストン３８を後退させる作用を説明する。
なお、回動により内外に接する部材の内向きの円環状の突部と外向きの円環状の突部とが当接するとそれ以上相対的な回転はできなくなり両者は一体となって回転するようになる。また、ピストン３８は握り部１０の軸線方向には移動できるが、Ｏリング４０の抵抗で自由に回転することはない。各部のねじ部は右ねじとして説明する。
【００２０】
図１、図５において、つまみ４６を図上で右側からみて時計方向（右回り方向）に回転させると、円筒状部材３０と螺合する円筒状部材３２は、右方向に後退するがエンドキャップ４２に当接するとそれ以上に後退できなくなり、両者は一体的に回転するようになる。そうすると、円筒状部材３２が回転するようになり、これと螺合する円筒状部材３４は右方向に後退し、エンドキャップ４２に当接すると両者は一体的に回転するようになる。さらに、つまみ４６を回転し続けると、終端部材３６は右方向に後退し、エンドキャップ４２に当接するようになると、後退は停止する。従って、ピストン３８は最も引っ込んだ位置になる。その際円筒状部材３２、３４と終端部材３６は円筒状部材３０内に収まり、コンパクトな構造となる。従来のピストンロッドでピストンを移動させるものでは、歯磨き剤の収容量を増やそうとすれば、ピストンのストロークを長くする必要があり、ロッドもその分長大になるのでコンパクトな構造でなくるが、本実施例では最伸張時の約１／４でよく、コンパクトになる利点がある。
【００２１】
上記の状態で収容室８に歯磨き剤を充填する。歯磨き剤を送出するには、上記方法のの逆に行えばよい。すなわち、つまみ４６を反時計方向（左回り方向）に回転させると、先ず終端部材３６が円筒状部材３４から突出し、突出し切ると、次に円筒状部材３４が円筒状部材３２から突出し、同様にして円筒状部材３２が円筒状部材３０から突出するようになり、ピストン３８は左方向に前進する。このようにして、収容室８内の歯磨き剤を送給路１５を介して歯ブラシ部の開口部に歯磨き時に使用する量だけ供給することができる。
【００２２】
前記実施例ではピストンを移動させる円筒状部材（終端部材を含む）を４段の多重構造としたが、段数を適宜増減することが可能である。
以上本考案の実施例を説明したが、本考案はこのような実施例に何ら限定されるものではなく、本考案の要旨を変更しない範囲において種々なる態様で実施をし得ることはもちろんである。
【産業上の利用可能性】
【００２３】
本考案の歯磨き剤入り歯ブラシのピストンロッドに相当する部分を円筒状部材等の多重構造とする構成は、歯ブラシ以外のものにも適用可能である。
【図面の簡単な説明】
【００２４】
【図１】（イ）、（ロ）は本考案の一実施例を示す平面図と一部を破断した正面図である。
【図２】同実施例の一部品を示す一部を破断した正面図である。
【図３】（イ）、（ロ）は同実施例に使用する部品の断面図、右側面図である。
【図４】（イ）、（ロ）は同実施例のさらに他の部品を示す一部を断面した正面図と右側面図である。
【図５】（イ）〜（ホ）は同実施例の一部の機構を示す組付断面図、同機構に使用する部品の断面図と正面図である。
【符号の説明】
【００２５】
８  収容室
１０  握り部
１２  柄部
１４  歯ブラシ部
２８  送出機構
３０  円筒状部材
３２  円筒状部材
３４  円筒状部材
３６  終端部材
３８  ピストン
４６  つまみ（操作部）
５０  突部（内向き）
５２  雌ねじ部
５４  突部（外向き）
５６  突部（内向き）
５８  雌ねじ部
６０  雄ねじ部
６２  突部（外向き）
６６  雌ねじ部
７０  突部（外向き）
７２  雄ねじ部
【図１】
0003121384.tif 000003
【図２】
0003121384.tif 000004
【図３】
0003121384.tif 000005
【図４】
0003121384.tif 000006
【図５】
0003121384.tif 000007